(57)【要約】      （修正有）【課題】カードの表面にステッカーのようなシート材を再剥離可能に貼着することにより、盗み視などによる安全上の問題を回避できると共に、カード表面の摩耗を防ぐのみならず、カードを元の意匠とは別の意匠に見せることができるカード用ステッカーを提供すること。【解決手段】離型剤を表面に備えた台紙１上に、既発行カードの形状と略同形に形成したシート材３であって表面又は裏面に適宜印刷４を施すか又は印刷を施さず、裏面に再剥離性接着剤層５を形成したシート材３を、前記接着剤層５において貼設してカード用ステッカーを形成し、前記シート材３を台紙１から剥離して既発行カードの少なくとも片面に再剥離可能に貼着して使うこと。【選択図】図２
0003139039.tif 000002
【実用新案登録請求の範囲】
【請求項１】
離型剤を表面に備えた台紙上に、既発行カードの形状と略同形に形成したシート材であって表面又は裏面に適宜印刷を施すか又は印刷を施さず、裏面に再剥離性接着剤層を形成したシート材を、前記接着剤層において貼設してカード用ステッカーを形成し、前記シート材を台紙から剥離して既発行カードの少なくとも片面に再剥離可能に貼着して使うことを特徴とするカード用ステッカー。
【請求項２】
上記シート材は、透光性又は不透光性のシート材を用いると共にその一部をツマミ状に突出形成し、かつ、ツマミ状に突出部を除いて再剥離接着剤層を形成した請求項１のカード用ステッカー。
【請求項３】
印刷が施された前記シート材の上面に、当該シート材と同大に形成すると共に一部をツマミ状に突出形成し、かつ、ツマミ状突出部を除いて接着剤層を形成した透光性シート材を接着した請求項１のカード用ステッカー。
【請求項４】
ツマミ状突出部を除いて接着剤層を裏面に形成した透光性シート材を、印刷層を有するシート材の印刷層の面に接着し、その透光性シート材のツマミ状突出部を含み当該透明シート材とその下面の印刷層を有するシート材を通してプレスによる切抜き線を設けた請求項１又は３のカード用ステッカー。
【考案の詳細な説明】
【技術分野】
【０００１】
本考案は、カードの表面に再剥離可能に貼着することにより、当該カードの表示内容を隠蔽したり、そのカードの表面を装飾することができるカード用ステッカーに関する。
【背景技術】
【０００２】
昨今、一般的な生活においては、種々の情報が表示、或は、内蔵された数多くの種類のカード乃至はカードに類するものが、小供から老人まできわめて広範に利用されている。
【０００３】
ここで「カード」とは、例えば交通機関が発行する定期券やチャージ型カードなど、金融機関が発行するキャッシュカードやクレジットカードなど、デパート，スーパー，コンビニ，商店街などの商業施設などが発行する会員カードやポイントカードなどを始めとし、学生証などを含む身分証明カードや診察カード、或は、運転免許証や「タスポ」（たばこ成人認証カード）などおよそカード状に形成されたすべてのカードを含むものとする。
【０００４】
上記カードは、日頃からパスケースや財布などに入れて常時携行し、必要な場所で取出して使用するが、使用の際などにそのカードに固有の表示内容が盗み視られたりして安全上好ましくないという問題がある。
【０００５】
一方、上記のようなカードは常時持ち歩いていること、或は、機械（カードリーダやカードライタ）に通すことがあるため、表面が摩耗して表示が汚損してしまい、使用に支障を来たすのみならず、見栄えも好ましくないことも多い。
【考案の開示】
【考案が解決しようとする課題】
【０００６】
そこで本考案では、カードの表面にステッカーのようなシート材を再剥離可能に貼着することにより、盗み視などによる安全上の問題を回避できると共に、カード表面の摩耗を防ぐのみならず、カードを元の意匠とは別の意匠に見せることができるカード用ステッカーを提供することを、課題とする。
【課題を解決するための手段】
【０００７】
上記課題を解決することを目的としてなされた本考案カード用ステッカーの構成は、離型剤を表面に備えた台紙上に、既発行カードの形状と略同形に形成したシート材であって表面又は裏面に適宜印刷を施すか又は印刷を施さず、裏面に再剥離性接着剤層を形成したシート材を、前記接着剤層において貼設してカード用ステッカーを形成し、前記シート材を台紙から剥離して既発行カードの少なくとも片面に再剥離可能に貼着して使うことを特徴とするものである。
【０００８】
本考案ステッカーでは、上記シート材の一部を、ツマミ状に突出形成し、かつ、ツマミ状に突出部を除いて再剥離接着剤層を形成した態様とすることもできる。この場合のシート材は、透光性、或は、不透光性のいずれのシート材であってもよい。また、印刷が施された前記シート材の上面に、当該シート材と同大に形成すると共に一部をツマミ状に突出形成し、かつ、ツマミ状突出部を除いて接着剤層を形成した透光性シート材を接着した状態に形成することができる。
【０００９】
ツマミ状突出部を有する透光性シート材が貼着された印刷層を有するシート材は、ツマミ状突出部を除いて接着剤層を裏面に形成した透光性シート材を、印刷層を有するシート材の印刷層の面に接着し、その透光性シート材のツマミ状突出部を含み当該透光性シート材とその下面の印刷層を有するシート材を通してプレスによる切抜き線を設けて形成する。
【考案の効果】
【００１０】
本考案では、一例として、離型剤を表面に備えた台紙上に、既発行カードの形状と略同形に形成したシート材であって表面に適宜印刷を施し、裏面に再剥離性接着剤層を形成したシート材を、前記接着剤層において貼設してカード用ステッカーを形成し、前記シート材を台紙から剥離して既発行カードの少なくとも片面に再剥離可能に貼着して使うようにカード用ステッカーを形成したので、既発行カードに視覚的に表示された種々の表示を隠したり、カード表面の摩耗を効果的に防ぐことができる。
【考案を実施するための最良の形態】
【００１１】
次に本考案カード用ステッカーの一例について、図を参照して説明する。
図１は本考案カード用ステッカーの一例の平面図、図２は図１Ａ−Ａ線矢視断面拡大図、図３は図１のＢ−Ｂ線矢視断面拡大図、図４は本考案カード用ステッカーの別例の中央横断面拡大図、図５は同じく他の例の中央横断面拡大図である。
【００１２】
図１〜図３において、１は、上面に離型剤層２に形成した台紙、３は上面（表面）に印刷層４を形成すると共に下面（裏面）に再剥離タイプの接着剤層５を形成したステッカーシート材、６は前記ステッカー３の上面（表面）に接着剤層７を介して積層接着した透光性シート材の一例としての透明シート材である。なお、4a，4bは印刷層４の絵柄，文字などである。
【００１３】
図１〜図３において、台紙１，ステッカーシート材３，透明シート材６は同一大きさに形成されている。しかも、図１の平面視、図２，図３の断面拡大視で判るとおり、透明シート材６の一部には接着剤層７が設けられていない。
【００１４】
接着剤層７が設けられない部位８に、切抜き線９によってツマミ部10が形成されている。
【００１５】
図１の例では、切抜き線９が、台紙１，ステッカーシート材３，透明シート材６より一回り小さ目に形成されていると共に、図の例では、右側にツマミ10となる突出部位（切抜き線９よりも外側に突出している）が形成され、本考案カード用ステッカーの一例に形成されている。
【００１６】
上記ステッカーでは、ツマミ10ｂの部分は裏面に接着剤層７が無いので、ステッカーシート材３から浮いており、従って、そのツマミ10を摘まんで透明シート材６を持上げるようにすると、当該シート６とステッカーシート材３は、他の部位（残りの全面）で一層になったように固着しているため、ステッカーシート材３が透明シート材６と一緒に台紙１から切抜き線９に沿って剥離される。
【００１７】
そこで、剥離したステッカー材３（上面に透明シート材６を一体に備え、下面（裏面）に再剥離性の接着剤層５を備えている）を適宜カードの上面又は裏面に前記接着剤層５において貼着することにより、本考案カード用ステッカーがカード表示の視覚的保護、或は、カード表面の摩耗に対する保護層としての機能を果すことになる。
【００１８】
上記のようにして適宜カードの表面に貼着された本考案カード用ステッカーは、その接着剤層５が再剥離可能な接着剤で形成されているから、その貼着はいつでも自由に剥がすことができ、また、前記接着剤層５がカード側に残ることはない。さらに、その剥離はツマミ10を摘まんで容易に行うことができるから、ステッカーの貼り替えも容易に行うことができる。なお、透光性シート材としては、上記の透明シート材６のほか、着色透光性シート材、フォログラムやレイボー模様を施した透光性シート材を用いることができる。
【００１９】
本考案カード用ステッカーは、ツマミ10を備えないタイプのものでも、上記例と殆んど同等の機能を有する。即ち、図４はツマミ10を有しない本考案カード用ステッカーの一例で、図４に示したカード用ステッカーは、図１〜図３で例示したカード用ステッカーとツマミ10を具備しない点のみが異なり、他の構成は図１〜図３の例と同じである。従って、図４の符号は、図１〜図３と同一部材，同一部位には、同一符号を付けてある。
【００２０】
本考案カード用ステッカーは、図５に例示するように、上記例におけるステッカーシート材３と透光性シート材６とを、一枚のシート材61により兼用させた形態とすることもできる。
即ち、図５において、表面又は裏面に印刷層４を設けたシート材61の裏面に再剥離性の接着層５を設け、当該シート材61を、離型剤層２を有する台紙１に接着剤層５において貼着したタイプである。
【００２１】
ここで、シート材61が透光性であれば、印刷層４は、シート材61の表，裏いずれの面に設けてもよいが、不透光性シート材の場合には表面側に印刷層４を形成する。また、シート材61の外形は、当該シート材61を貼着するカードと略同等外形であるが、その外形の一部をツマミ状に突出形成してツマミ10を形成するかどうかは、任意である。
【００２２】
本考案カード用ステッカーは、上記態様に加え透明シート６の側に突出する凸印刷加工により、例えば、点字表示を加えることができる。さらに、本考案カード用ステッカーは、容易にカードから剥離できるので、カードを機械に通す必要がある場合などには、剥がしてすぐに通すことができる。
【産業上の利用可能性】
【００２３】
本考案は以上の通りであって、様々なカードに対し、その表面（片面）に再剥離可能なステッカーを貼り、当該カードの表示の目隠し、カードに付く傷，汚れや軽い衝撃に対する保護機能を果すので、カード保護用のステッカーとして至って有用である。
また、ステッカーの印刷によって、同じデザインの同一カードを意匠的に差別化を図ることもできる。
【図面の簡単な説明】
【００２４】
【図１】本考案カード用ステッカーの一例の平面図。
【図２】図１のＡ−Ａ線矢視断面拡大図。
【図３】図１のＢ−Ｂ線矢視断面拡大図。
【図４】本考案カード用ステッカーの別例の中央横断面拡大図。
【図５】本考案カード用ステッカーの他の例の中央横断面拡大図。
【符号の説明】
【００２５】
１    台紙
２    離型剤層
３    ステッカーシート材
４    印刷層
５    再剥離性の接着剤層
６    透光性シート材
７    接着剤層
８    接着剤層７が設けられない部位
９    切抜き線
10    ツマミ部
【図１】
0003139039.tif 000003
【図２】
0003139039.tif 000004
【図３】
0003139039.tif 000005
【図４】
0003139039.tif 000006
【図５】
0003139039.tif 000007